【手続補正書】
【提出日】平成17年9月27日(2005.9.27)
【手続補正１】
【補正対象書類名】特許請求の範囲
【補正対象項目名】全文
【補正方法】変更
【補正の内容】
【特許請求の範囲】
【請求項１】
運搬車両の計画された配送経路に追加して配送をスケジューリングするための配送スケジューリングシステムであって、該計画された配送経路は、複数の通常の配送地と、計画された時間スケジュール上の該配送地の間をつなぐ所定の路線とを含んでおり、
機械読取り可能なコードが設けられている配送すべき商品であって、該コードが該商品に関する配送情報に関する電子データに対応するものである商品と、
前記配送情報に関する電子データと選択されたレベルのサービスで前記商品を受取人に配送するよう要求する配送要求とを送り手から受信できるデータ収集装置と、
前記計画された配送経路に関する電子データが記憶されている少なくとも１つのメモリを含み、通信システムを介して前記データ収集装置に接続されている配送スケジュール用サーバであって、（ａ）（ｉ）前記配送が前記計画された配送経路から外れる必要があるかどうかを判断し、（ｉｉ）前記レベルのサービスのパラメータとは無関係に、前記商品を前記受取人に配送する費用が所定の費用の範囲以下であることを示す１以上の費用効率の高い時間ウィンドウが存在するかどうかを判断するために、前記配送情報および前記配送要求に関する前記電子データを利用して、（ｂ）（ｉ）前記配送が前記計画された配送経路からの外れる必要があることと、（ｉｉ）１以上の前記費用効率の高い時間ウィンドウが存在することとの判断に応答して、前記１以上の費用効率の高い時間ウィンドウのうちの１つの中で、前記受取人に前記商品の配送を前記受取人がスケジュールできることを示すメッセージに関する電子データの伝送を自動的に行うものである配送スケジュール用サーバと、
通信システムを介して前記配送スケジュール用サーバに接続され、前記メッセージに関する前記電子データを受信することができる受取人データ受信装置と
を含んでなる配送スケジューリングシステム。
【請求項２】
前記配送スケジュール用サーバは、（ｃ）前記費用効率の高い時間ウィンドウのうちの１つを選択することを含む、前記メッセージに対する前記受取人の応答に関する電子データを受信し、（ｄ)前記受取人により選択された前記高い費用効率の時間ウィンドウのうちの1つの中で前記配送が行われるようにスケジュールし、（ｅ）１つ以上の追加の配送要求のために前記ステップ（ａ）〜（ｄ）を繰返すように更に構成されているものである請求項１に記載の配送スケジューリングシステム。
【請求項３】
前記メッセージに関する前記電子データは、ウェブサイトへのリンクを含むものである請求項１に記載のスケジューリングシステム。
【請求項４】
前記メッセージに関する前記電子データは、前記受取人がサービスプロバイダとの通信を確立できるように選択された電話番号を含むものである請求項１に記載のスケジューリングシステム。
【請求項５】
前記メッセージに関する前記電子データは、前記商品の配送に関する情報にアクセスして前記商品の配送を前記受取人がスケジュールできるようにするサービスプロバイダ自動電話システムとの通信を前記受取人が確立できるように選択された電話番号を含むものである請求項１に記載のスケジューリングシステム。
【請求項６】
運搬車両の計画された配送経路に追加して配送をスケジューリングする方法であって、該計画された配送経路は、複数の通常の配送地と、計画された時間スケジュール上で前記通常の配送地の間をつなぐ所定の路線とを含んでおり、機械走査可能なコードが設けられた配送すべき商品であって、該コードが該商品に関する配送情報に関する電子データに対応するものである商品を使用して、通信システムを介して前記データ収集装置に接続された配送スケジュール用サーバと、通信システムを介して前記配送スケジュール用サーバに同様に接続された受取人データ受信装置とに、データ収集装置により適用され、前記計画された配送経路は前記配送スケジュール用サーバ上のメモリに記憶されるものであり、
（Ａ）選択されたレベルのサービスで受取人に配送すべき商品を送り手から受け取るステップと、
（Ｂ）前記配送情報に関する前記電子データを読み出すために、前記データ収集装置により前記機械走査可能コードを前記商品から機械走査するステップと、
（Ｃ）前記配送情報に関する前記電子データを前記データ収集装置により前記配送スケジュール用サーバに転送し、該配送スケジュール用サーバ上の前記メモリに前記電子データを記憶させるステップと、
（Ｄ）前記配送が前記計画された配送経路から外れる必要があるかどうかを判断するために、前記配送スケジュール用サーバ上の中央処理装置により、前記配送情報に関する前記電子データを前記計画された配送経路と比較するステップと、
（Ｅ）前記受取人への前記商品の配送費用が所定の費用以下であることを示す１以上の費用効率の高い時間ウィンドウが存在するかどうかを、前記サービスレベルとは無関係に前記中央処理装置により判断するステップと、
（Ｆ）前記１以上の費用効率の高い時間ウィンドウが存在するとの判断に応答して、前記１以上の費用効率の高い時間ウィンドウに関する電子データを前記配送スケジュール用サーバ上のメモリに記憶させるステップと、
（Ｇ）（ｉ）前記配送が前記計画された配送経路から外れる必要があることと、（ｉｉ）前記費用効率の高い時間ウィンドウが１以上存在することとの判断に応答して、前記通信システムを介して前記受取人データ受信装置に対して、（ｉ）前記１つ以上の高い費用効率の時間ウィンドウに関する前記電子データと、（ｉｉ）前記１以上の費用効率の高い時間ウィンドウのうちの１つの中での前記受取人への前記商品の配送を前記受取人がスケジュールすることを示すメッセージに関する電子データとの転送を、前記配送情報を使用して前記配送スケジュール用サーバにより行うステップと、
（Ｈ）前記１以上の費用効率の高い時間ウィンドウのうちの１つを選択することを含む前記受取人からの応答を前記配送スケジュール用サーバで受信すると、前記費用効率の高い時間ウィンドウのうちの選択された１つの中で行うべき前記配送を、前記配送スケジュール用サーバによりスケジュールするステップと
を含んでなるスケジューリング方法。
【請求項７】
前記ステップ（Ｇ）は、前記受取人のための連絡情報を識別するために前記配送情報を使用するステップと、前記受取人に連絡するために前記連絡情報を使用するステップとを更に含むものである請求項６に記載のスケジューリング方法。
【請求項８】
前記ステップ（Ｂ）と（Ｃ）と（Ｄ）と（Ｅ）と（Ｆ）とが自動的に行われるものである請求項６に記載のスケジューリング方法。
【請求項９】
前記ステップ（Ｈ）が自動的に行われるものである請求項６に記載のスケジューリング方法。
【請求項１０】
前記商品を機械走査する前記ステップ（Ｂ）は、前記商品の表面を走査することを含むものである請求項６に記載のスケジューリング方法。
【請求項１１】
（Ｉ）１以上の追加の配送をスケジューリングするために、前記ステップ（Ａ）〜（Ｇ）を繰り返すことと、
（Ｊ）前記費用効率の高い時間ウィンドウ中でのみ前記所定の路線から外れること
を更に含む請求項６に記載のスケジューリング方法。
【請求項１２】
配送情報を読み出すために前記商品を機械走査する前記ステップ（Ｂ）は、前記商品上の記号から収集されたデータに基づいてデータベースから前記配送情報を読み出すことを更に含む請求項６に記載のスケジューリング方法。
【請求項１３】
配送情報を読み出すために前記商品を機械走査する前記ステップ（Ｂ）は、前記商品上の記号から収集されたデータに基づいてデータベースから前記配送情報を読み出すことを更に含む請求項６に記載のスケジューリング方法。
【請求項１４】
運搬車両の計画された配送経路に追加して配送をスケジューリングする方法であって、前記計画された配送経路は、複数の通常の配送地と、計画された時間スケジュール上で前記通常の配送地の間をつなぐ所定の路線とを含んでおり、配送情報が設けられている配送すべき商品を使用して、コンピュータネットワークを介して前記データ収集装置に接続されたサーバと、コンピュータネットワークを介して該サーバに接続された受取人データ受信装置とにデータ収集装置により適用されるものであり、該サーバは少なくとも中央処理装置およびメモリを含み、前記計画された配送経路は電子データとして前記サーバ上のメモリの第１のフィールドに記憶されており、
（Ａ）前記商品に関する前記配送情報を前記データ収集装置に入力するステップと、
（Ｂ）前記データ収集装置により、前記配送情報に関する電子データを、前記コンピュータネットワークを介して前記サーバに転送するステップと、
（Ｃ）前記配送情報に関する前記電子データを前記サーバ上の前記メモリの第２のフィールドに記憶させるステップと、
（Ｄ）前記配送が前記計画された配送経路から外れる必要があるかどうかを判断するために、前記中央処理装置により、前記サーバ上の前記メモリの前記第１のフィールド内の前記電子データを、前記サーバ上の前記メモリの前記第２のフィールド内の電子データと比較するステップと、
（Ｅ）前記受取人への前記配送の費用が所定の費用以下であることを示す１以上の費用効率の高い時間ウィンドウが存在するかどうかを、前記中央処理装置により判断するステップと、
（Ｆ）前記１以上の費用効率の高い時間ウィンドウが少なくとも１つ存在するとの判断に応答して、前記サーバ上の前記メモリの第３のフィールドに、前記１以上の費用効率の高い時間ウィンドウに関する電子データを記憶させるステップと、
（Ｇ）（ｉ）前記配送が前記計画された配送経路から外れる必要があることと、（ｉｉ）１以上の費用効率の高い時間ウィンドウが存在することとの判断に応答して、（ｉ）前記メモリの前記第３のフィールド内の前記電子データと、（ｉｉ）前記１以上の費用効率の高い時間ウィンドウのうちの１つの中で前記受取人への前記商品の配送を前記受取人がスケジュールすることを示すメッセージに関する電子データとを、前記サーバにより前記受取人データ受信装置に転送するステップと、
（Ｈ）前記１以上の費用効率の高い時間ウィンドウのうちの１つを選択すると、この選択に関する電子データを前記受取人から前記サーバで受信したことに応答して、前記１以上の費用効率の高い時間ウィンドウのうちの前記選択された時間ウィンドウ内での前記配送を前記サーバによりスケジュールするステップと
を含んでなるスケジューリング方法。
【請求項１５】
運搬車両の計画された配送経路に追加する配送をスケジューリングするシステムであって、該計画された配送経路は、複数の通常の配送地と、計画された時間スケジュール上で前記通常の配送地の間をつなぐ所定の路線とを含み、前記システムは機械読取り可能コードが設けられている配送すべき商品を使用し、前記コードは前記商品に関する配送情報に関する電子データに対応するものであり、
前記配送情報に関する前記電子データを読み出すために、前記商品から前記機械読取り可能コードを読取ることができるコード読取り装置と、前記配送情報に関する前記対応する電子データを転送することができる転送装置とを含むデータ収集装置とを含むデータ収集装置と、
配送スケジュール装置であって、（１）前記配送情報に関する前記電子データを記憶することができる第１のフィールドと、前記計画された配送経路を記憶することができる第２のフィールドと、存在すると判断された１以上の費用効率の高い時間ウィンドウに関する電子データを記憶することができる第３のフィールドとを含むメモリと、（２）前記配送が前記計画された配送経路から外れる必要があるかどうかを判断するために、前記メモリの前記第１のフィールド内の前記電子データを、前記メモリの前記第２のフィールド内の前記電子データと比較し、前記受取人への前記商品の配送の費用が所定の費用以下であることを示す１以上の費用効率の高い時間ウィンドウが存在するかどうかを判断し、前記１以上の費用効率の高い時間ウィンドウを選択すると、この選択に関する電子データを前記受取人から受信したことに応答して、前記１以上の費用効率の高い時間ウィンドウのうちの前記選択された時間ウィンドウ内で行うべき前記配送がスケジュールされる中央処理装置と、（３）前記メモリの前記第３のフィールド内の前記電子データと、前記１以上の費用効率の高い時間ウィンドウ内での前記受取人への前記商品の配送を前記受取人がスケジュールすることを示すメッセージに関する電子データとを前記受取人に転送することができる転送装置と、（４）前記データ収集装置からの前記配送情報に関する前記電子データと、前記受取人から前記１以上の費用効率の高い時間ウィンドウのうちの１つを前記選択したことに関する前記電子データとを受信する受信装置とを含むものである配送スケジュール装置と、
前記１以上の費用効率の高い時間ウィンドウおよび前記メッセージに関する前記電子データを受信できる受信装置と、前記１以上の費用効率の高い時間ウィンドウのうちの１つを前記選択したことに関する電子データを転送できる転送装置とを含む受取人装置と
を含んでなるスケジューリングシステム。